(57)【特許請求の範囲】
【請求項１】
開口端を有する管状容器の該開口端を閉成するための栓体であって、
前記管状容器の開口端に圧入される圧入部と、
前記圧入部の上部に連ねられており、該圧入部よりも大きな径の把持部とを有し、
前記把持部の上面内において、下方に延びる内側壁により囲まれた凹部が形成されている栓本体と、
天板部と、天板部の周縁から下方に延びるスカート部とを有し、前記天板部の下面と前記栓本体の把持部の前記上面とが対向するように前記栓本体に外挿されているカバー部材とを備え、
前記カバー部材の天板部に設けられ、前記栓本体の前記凹部を囲んでいる前記内側壁に係止される係止部が、前記カバー部材の天板部から前記栓本体の前記凹部を囲む前記内側壁面に対向するように前記凹部内に延ばされており、前記カバー部材の前記天板部と、前記栓本体の上面との間に空間が形成されており、
前記カバー部材の前記天板部が該空間に臨む部分に、該天板部から下方に延び、かつ前記栓本体の把持部上面に当接するリブが設けられている、栓体。
【請求項２】
前記係止部が、前記栓本体の前記凹部を囲んでいる前記内側壁に当接されている、請求項１に記載の栓体。
【請求項３】
前記カバー部材の前記天板部の内面の少なくとも一部が前記栓本体の前記把持部の上面に当接されている、請求項１または２に記載の栓体。
【請求項４】
前記栓本体の前記凹部を囲んでいる内側壁が環状内側壁であり、前記係止部が、前記環状内側壁に適い合う形状の曲面部を有する、請求項１〜３のいずれか１項に記載の栓体。
【請求項５】
前記係止部が、円筒状の形状を有する請求項４に記載の栓体。
【請求項６】
前記栓本体の前記把持部の前記凹部の外周縁に比べて、前記把持部の外周縁が低くされている、請求項１〜５のいずれか１項に記載の栓体。
【請求項７】
前記栓本体の前記把持部の上面が、前記凹部の外周縁から把持部外周縁に至るにつれて低くなる傾斜面とされており、該傾斜面に当接するように前記リブが設けられている、請求項６に記載の栓体。
【発明の詳細な説明】
【技術分野】
【０００１】
本発明は、採血管などの開口端を有する管状容器の開口端を閉成するための栓体に関し、特に、ゴムなどからなる栓本体にカバー部材が外挿されている栓体に関する。
【背景技術】
【０００２】
従来、真空採血管などの体液採取管を封止するため、ゴムやエラストマーなどからなる栓が用いられている。【０００３】
下記の特許文献１には、この種の栓の一例が開示されている。図９（ａ）は、特許文献１に記載の栓体を説明するための部分切欠正面断面図である。有底円筒状の体液採取管１０１の上端開口を封止するように、栓体１０２が取り付けられている。栓体１０２は、ゴムやエラストマーなどからなる栓本体１０３と、カバー部材１０４とを有する。栓本体１０３は、体液採取管１０１に圧入されている圧入部１０３ａと、圧入部１０３ａの上方に連ねられた把持部１０３ｂとを有する。把持部１０３ｂを覆うように、カバー部材１０４が取り付けられている。【０００４】
カバー部材１０４は、栓本体１０３の把持部１０３ｂの上面に当接している天板部１０４ａを有する。天板部１０４ａの外周縁から下方に延びるように、スカート部１０４ｂが設けられている。【０００５】
また、下記の特許文献２には、図１０に正面断面図で示す栓体１１１が開示されている。栓体１１１は、ゴムやエラストマーなどからなる栓本体１１２と、栓本体１１２に外挿されているカバー部材１１３とを有する。栓本体１１２の圧入部１１２ａが体液採取管１０１に圧入されている。圧入部１１２ａの上方に連ねられている把持部１１２ｂが、カバー部材１１３により覆われている。【０００６】
把持部１１２ｂの上面に、環状の留めリング１１４が配置されている。カバー部材１１３は、筒状の形状を有する。カバー部材１１３の上端開口縁から内側に突出するように、環状突出部１１３ａが設けられている。環状突出部１１３ａにより、留めリング１１４が上方に脱落しないように係止されている。【０００７】
カバー部材１１３の中間高さ位置においては、内壁から内側に延びる環状係止棚１１３ｂが設けられている。環状係止棚１１３ｂは、栓本体１１２の把持部１１２ｂの下面と、体液採取管１０１の上端とに挟持されている。すなわち、栓本体１１２の圧入部１１２ａに比べて、把持部１１２ｂの径が大きくされているため、把持部１１２ｂの下面に段差部１１２ｃが形成されている。この段差部１１２ｃに、環状係止棚１１３ｂが当接されている。【０００８】
特許文献１や特許文献２に記載のカバー部材１０４，１１３は、検査従事者が栓本体１０３，１１２に手を触れることなく、栓本体１０３，１１２を体液採取管１０１からの取り外しを容易とするために設けられている。すなわち、カバー部材１０４，１１３を体液採取管１０１から上方に遠ざけるように手指で力を加えることにより、カバー部材１０４，１１３と共に、栓本体１０３，１１２を体液採取管１０１から取り外すことができる。
【先行技術文献】
【特許文献】
【０００９】
【特許文献１】特許第４１９８３０９号公報
【特許文献２】特許第３０６４４４４号公報
【発明の概要】
【発明が解決しようとする課題】
【００１０】
しかしながら、特許文献１に記載の様な形態とした栓体１０２では、カバー部材１０４と共に、栓本体１０３を取り外すことができないことがあった。すなわち、栓本体１０３の取り外しに際しては、図９（ｂ）に矢印で示すように、カバー部材１０４を体液採取管に対して、捻りながら斜め上方へ外力を加える。それによって、栓本体１０３を体液採取管１０１から取り外そうとした場合、カバー部材１０４のみが取り外され、栓本体１０３が体液採取管１０１に圧入された状態のままとなることがあった。そのため、検査従事者等が栓本体１０３を手指で体液採取管１０１から取り外さねばならないことがあった。従って、感染を防止するためのカバー部材１０４が、目的とする機能を発現し得ないことがあった。【００１１】
上記のような問題を解決するためには、例えば図９（ａ）の把持部１０３ｂの下面の段差部１０３ｃの面積を大きくすればよいとも考えられる。しかしながら、その場合には、圧入部１０３ａよりも上方の段差部１０３ｃの外径を大きくしなければならない。すなわち、把持部１０３ｂの圧入部１０３ａよりも外側に張り出しているフランジ部分の体積（把持部体積）を大きくしなければならない。従って、栓本体１０３の体積が大きくなり、医療廃棄物も増加するという問題が生じる。【００１２】
これに対して、特許文献２に記載の様な形態とした栓体１１１では、環状係止棚１１３ｂが、栓本体１１２の環状の段差部１１２ｃに当接されている。従って、カバー部材１１３を、体液採取管１０１に対して、捻りながら斜め上方へ外力を加えたとしても、段差部１１２ｃに環状係止棚１１３ｂが当接された状態が維持される。よって、栓本体１１２をカバー部材１１３と共に確実に体液採取管１０１から取り外すことができる。【００１３】
しかしながら、栓体１１１は、栓本体１１２と、カバー部材１１３と留めリング１１４とを有する３つの部材により構成されている。従って、部品点数が多く、組み立て工程が煩雑であるという問題があった。加えて、組み立てに際し、留めリング１１４を係止する環状突出部１１３ａが破損し、留めリング１１４が脱落することがあった。従って、生産性が低いという問題もあった。【００１４】
本発明の目的は、上述した従来技術の欠点を解消し、栓本体の前述したフランジ部分の体積、すなわち把持部体積を大きくせずとも、栓本体をカバー部材と共に容易にかつ確実に管状容器の開口端から取り外すことができ、部品点数が少なく、かつ組み立てが容易であり、生産性に優れた栓体を提供することにある。
【課題を解決するための手段】
【００１５】
本発明は、開口端を有する管状容器の該開口端を閉成するための栓体である。本発明の栓体は、栓本体とカバー部材とを備える。栓本体は、前記管状容器の開口端に圧入される圧入部と、前記圧入部の上部に連ねられており、該圧入部よりも大きな径の把持部とを有し、前記把持部の上面内において、下方に延びる内側壁により囲まれた凹部が形成されている。カバー部材は、天板部と、天板部の周縁から下方に延びるスカート部とを有し、前記天板部の下面と前記栓本体の把持部の前記上面とが対向するように前記栓本体に外挿されている。【００１６】
本発明に係る栓体では、前記カバー部材の天板部に設けられ、前記栓全体の前記凹部を囲んでいる前記内側壁に係止される係止部が、前記カバー部材の天板部から前記栓本体の前記凹部を囲む前記内側壁面に対向するように前記凹部内に延ばされている。【００１７】
本発明に係る栓体のある特定の形態では、前記係止部が、前記栓本体の前記凹部を囲んでいる前記内側壁に当接されている。この場合には、カバー部材に外力を加えた場合、カバー部材の係止部が栓本体の上記内側壁に当接されているので、外力が直ちに栓本体の内側壁に加わる。従って、栓本体をカバー部材と共により一層確実に取り外すことができる。【００１８】
本発明に係る栓体の他の特定の形態では、前記カバー部材の前記天板部の内面の少なくとも一部が前記栓本体の前記把持部の上面に当接されている。この場合には、天板部の内面と把持部の上面との間に隙間が存在しないので、栓体の高さ方向寸法を小さくすることができる。【００１９】
本発明に係る栓体の他の特定の形態では、前記栓本体の前記凹部を囲んでいる内側壁が環状内側壁であり、前記係止部が、前記環状内側壁に適い合う形状の曲面部を有する。この場合には、カバー部材を体液採取管に対して、捻りながら斜め上方へ外力を加えた場合であっても、係止部を経て把持部の環状の内側壁に力を直ちに加えることができる。よって、カバー部材と共に栓本体をより一層確実に取り外すことができる。好ましくは、係止部は、円筒状の形状を有する。この場合には、より一層確実に栓本体をカバー部材と共に取り外すことができる。【００２０】
本発明に係る栓体のさらに別の特定の形態では、前記栓本体の把持部の前記凹部の外周縁に比べて、前記把持部の外周縁が低くされており、それによって前記カバー部材の前記天板部と、前記栓本体の上面との間に空間が形成されており、前記カバー部材の前記天板部が該空間に臨む部分に、該天板部から下方に延び、かつ前記栓本体の把持部上面に当接するリブが設けられている。この場合には、カバー部材の天板部と栓本体の上面との間に空間が形成されているが、上記リブが設けられているため、カバー部材と共に栓本体を確実に管状容器から取り外すことができる。【００２１】
本発明に係る栓体のさらに他の特定の形態では、前記栓本体の前記把持部の上面が、前記凹部の外周縁から把持部外周縁に至るにつれて低くなる傾斜面とされており、該傾斜面に当接するように前記リブが設けられている。このように、把持部の上面が、上記傾斜面である場合にも、リブが傾斜面に当接するようにリブを設けることにより、栓本体をカバー部材と共に確実に管状容器から取り外すことができる。
【発明の効果】
【００２２】
本発明に係る栓体によれば、カバー部材に上記係止部が設けられており、該係止部がカバー部材の天板部から栓本体の凹部を囲む内側壁面に対向するように凹部内に延ばされているため、カバー部材の天板部を栓本体の上面に対して傾斜するように外力を加えた場合、あるいは体液採取管に対して捻りながら斜め上方へ外力を加えた場合、該係止部が栓本体の内側壁に係止される。従って、カバー部材を取り外す際に、カバー部材と共に栓本体を管状容器の開口端から容易にかつ確実に取り外すことができる。また、栓本体のフランジ部分の体積を大きくせずとも、上記のように、確実にカバー部材と共に栓本体を管状容器から取り外すことができる。従って、栓本体のコストの低減及び医療廃棄物の低減を果すことができる。しかも、栓本体とカバー部材とを備える構造であればよく、特許文献２に記載の留めリング及び留めリングを係止するための複雑な構造を必要としない。よって、部品点数を低減することができ、かつ組み立て工程も簡略化することができる。従って、生産性に優れ、かつ安価な栓体を提供することができる。【００２３】
本発明によれば、栓本体に検査従事者等が手指を触れることなく、カバー部材に外力を加えるだけで、栓本体をカバー部材と共に確実に取り外すことが可能となる。従って、検査従事者の感染等のおそれを抑制することができる。
【図面の簡単な説明】
【００２４】
【図１】図１（ａ）は、本発明の第１の実施形態に係る栓体の正面断面図であり、（ｂ）は、（ａ）に示した栓体を管状容器に取り付けた状態を示す部分切欠正面断面図であり、（ｃ）は、栓体の変形例を示す正面断面図である。
【図２】図２（ａ）は、本発明の第１の実施形態で用いられている栓本体の正面図であり、（ｂ）は、正面断面図である。
【図３】図３（ａ）は、本発明の第１の実施形態の栓体に用いられているカバー部材の平面図であり、（ｂ）は、正面断面図である。
【図４】図４は、本発明の第２の実施形態に係る栓体を説明するための正面断面図である。
【図５】図５（ａ）及び（ｂ）は、第２の実施形態で用いられている栓本体の正面図及び正面断面図である。
【図６】図６（ａ）は、本発明の第２の実施形態の栓体に用いられているカバー部材の平面図であり、（ｂ）は、正面断面図であり、（ｃ）は、底面図である。
【図７】図７は、第１の比較例の栓体を示す正面断面図である。
【図８】図８は、第２の比較例の栓体を示す正面断面図である。
【図９】図９（ａ）は、従来の栓体が管状容器に取り付けられた状態を示す部分切欠正面断面図であり、（ｂ）は、従来の栓体の問題点を説明するための正面断面図である。
【図１０】図１０は、従来の栓体の他の例が管状容器に取り付けられている状態を説明するための部分切欠正面断面図である。
【発明を実施するための形態】
【００２５】
以下、図面を参照しつつ、本発明の具体的な実施形態を説明することにより、本発明を明らかにする。
【００２６】
図１（ａ）は、本発明の第１の実施形態に係る栓体を示す正面断面図であり、（ｂ）は、該栓体を管状容器に取り付けた状態を示す部分切欠正面断面図である。
【００２７】
栓体１は、栓本体２と、カバー部材３とを有する。すなわち、２つの部材で栓体１は構成されている。
【００２８】
図１（ｂ）に示すように、栓体１は、管状容器４の上端の開口４ａを封止するように、管状容器４に取り付けられている。管状容器４は、上端に開口４ａを有する有底円筒状の容器である。減圧下で管状容器４に栓体１を取り付けることにより、真空採血管が構成されている。もっとも、管状容器４は、真空採血管以外の様々な体液を採取する体液採取容器であってもよい。
【００２９】
栓本体２は、ゴムやエラストマーなどの弾性材料からなる。
【００３０】
図２（ａ）及び（ｂ）に示すように、栓本体２は、圧入部２ａと、圧入部２ａの上方に連ねられた把持部２ｂとを有する。圧入部２ａは、図１（ｂ）に示すように、管状容器４の内部に圧入される部分である。管状容器４が円筒状であるため、圧入部２ａは円柱状の形状を有する。もっとも、圧入部２ａの形状は、管状容器４の形状に応じて変更することができる。
【００３１】
把持部２ｂは、圧入部２ａよりも大きな径を有する。従って、把持部２ｂが圧入部２ａよりも外側に張り出しているため、把持部２ｂの下面に環状段差部２ｃが形成されている。
【００３２】
図２（ｂ）に示すように、把持部２ｂの上面すなわち栓本体２の上面に開いた凹部２ｄが形成されている。凹部２ｄは、把持部２ｂの上面に連なる円筒状の内側壁２ｅにより囲まれている。なお、本実施形態では、内側壁２ｅよりも下方に至るように凹部２ｄが延ばされている。より具体的には、内側壁２ｅで囲まれている上方部分２ｄ１よりも、径の小さな下方部分２ｄ２が設けられている。上方部分２ｄ１と、下方部分２ｄ２とが連なる部分において、径が下方にいくほど小さくなるように、環状傾斜面２ｆが設けられている。
【００３３】
他方、栓本体２の圧入部２ａにおいて、下面に開いた凹部２ｇが形成されている。凹部２ｄ及び凹部２ｇが形成されているため、凹部２ｄと凹部２ｇとの間に薄肉部２ｈが形成されている。薄肉部２ｈは、真空採血針を刺通させる部分である。栓本体２の厚みに比べて薄肉部２ｈの厚みが薄くされているので、真空採血針を容易に刺通させることができる。
【００３４】
本実施形態では、内側壁２ｅに囲まれた上方部分２ｄ１だけでなく、上記下方部分２ｄ２が設けられていたが、下方部分２ｄ２は設けられずともよい。すなわち、上方部分２ｄ１の直下に薄肉部２ｈが位置していてもよい。
【００３５】
もっとも、好ましくは、上記下方部分２ｄ２を設けることにより、薄肉部２ｈの厚みをより薄くすることができる。従って、刺通抵抗を小さくすることができる。
【００３６】
環状の内側壁２ｅは、円筒状の形状を有する。従って、環状の内側壁２ｅは、凹部２ｄを取り囲み、かつ上下方向に延びている。
【００３７】
カバー部材３は、本実施形態では、合成樹脂成形品からなる。もっとも、カバー部材３は、金属等により構成されてもよい。
【００３８】
図３（ａ）及び（ｂ）に示すように、カバー部材３は、天板部３ａと、天板部３ａの外周縁から下方に延びるように天板部３ａに一体に設けられたスカート部３ｂを有する。本実施形態では、天板部３ａの外周縁は円環状の形状を有している。従って、カバー部材３は、略円筒状の形状を有している。
【００３９】
スカート部３ｂは、図１（ｂ）に示すように、管状容器４に取り付けられた際に、栓本体２を覆い、かつ管状容器４の外側壁の上方部分を覆っている。カバー部材３は、管状容器４の開口４ａ及び栓本体２に、検査従事者の手指が接することを防止するために設けられている。
【００４０】
天板部３ａ中央には、円形の開口３ｃが形成されている。開口３ｃの開口縁から下方に延びる環状の係止部３ｄが天板部３ａに連ねられて設けられている。本実施形態では、係止部３ｄは、円筒状の形成を有している。もっとも、係止部３ｄは、円筒曲面を分割してなる複数の曲面部により形成されていてもよい。
【００４１】
上記係止部３ｄは、上下方向に延びている。また、カバー部材３の内周面においては、環状段差部３ｅが形成されている。環状段差部３ｅの上方部分におけるカバー部材３の内径は、上記栓本体２の把持部２ｂが挿入され得る大きさとなっている。具体的には、環状段差部３ｅよりも上方部分におけるカバー部材３の内径は、把持部２ｂの外径と同等とされるが、把持部２ｂを圧入し得る限り、把持部２ｂの外径よりも若干小さくともよい。また、環状段差部３ｅよりも上方部分の内径は把持部２ｂの外径よりも大きくてもよい。その場合には、栓本体２にカバー部材３を外挿した場合、把持部２ｂの外周側面とカバー部材３の内周面との間のクリアランスが生じるため、がたつきが生じるおそれはある。好ましくは、環状段差部３ｅよりも上方におけるカバー部材３の内径は、把持部２ｂの外周面とクリアランスを有しないように当接されていることが望ましい。
【００４２】
栓本体２にカバー部材３を外挿した場合、環状段差部３ｅにより、把持部２ｂ下面の段差部２ｃが図１（ａ）の様に係止されるため、栓本体２の下方への抜けが防止される。
【００４３】
図１（ａ）に示すように、カバー部材３に栓本体２を挿入し、言い換えれば、カバー部材３を栓本体２に外挿することにより、カバー部材３を栓本体２に固定することができる。この状態では、栓本体２の把持部２ｂの上面と、カバー部材３の天板部３ａの内面とは隙間を隔てて平行に対向されている。もっとも、この隙間は設けられずともよい。すなわち、図１（ｃ）に示す変形例のように、天板部３ａの内面に、栓本体２の上面が当接されていてもよい。
【００４４】
また、本実施形態の図１（ａ）では、図３（ｂ）に示す上記係止部３ｄの上下方向寸法である長さＨ２が、図２（ｂ）に示す上記栓本体２の内側壁２ｅの上下方向寸法Ｈ１よりも大きくされている。従って、天板部３ａの内面と、把持部２ｂの上面との間に前述した隙間が形成されている。そして、図１（ａ）に示すように、係止部３ｄの先端が内側壁２ｅの下端に連なって延びる栓本体部分に当接されている。
【００４５】
係止部３ｄの外径は、内側壁２ｅで規定される凹部の内径とほぼ同等とされている。従って、内側壁２ｅに対して、円筒曲面状の係止部３ｄの外周面が対向し、かつ当接されている。
【００４６】
もっとも、係止部３ｄの外周面は、後述の図４に示す第２の実施形態のように内側壁２ｅと隙間を隔てて対向されていてもよい。好ましくは、図１に示した実施形態のように、係止部３ｄの外周面は内側壁２ｅに当接されていることが望ましい。その場合には、取り外しに際してカバー部材３を体液採取管に対して、捻りながら斜め上方へ外力を加えた場合であっても、係止部を経て直ちに栓本体２の内側壁２ｅへ力が加わる。従って、後述する取り外しに際しての栓本体２とカバー部材３とを一体的に容易に取り外すことができる。
【００４７】
本実施形態の栓体１は、図１（ｂ）に示すように、管状容器４の開口４ａを封止するように取り付けられている。使用に際しては、例えば血液などを真空採血針を用いて、管状容器４内に採取する。次に、血液検査等を行うため、栓体１を管状容器から取り外す。この取り外しに際しては、カバー部材３のスカート部３ｂの一部を指で掴み、カバー部材３を体液採取管に対して、捻りながら斜め上方へ外力を加える。それによって、カバー部材３を栓本体２と共に管状容器４から取り外す。この場合、カバー部材３の天板部３ａが栓本体２の上面に対して傾斜しようとしても、係止部３ｄが内側壁２ｅに密着し、天板部３ａが栓本体２の上面から遠ざかることを抑制する。すなわち、カバー部材３が栓本体２から分離しないように、係止部３ｄが内側壁２ｅに係止されることとなる。栓本体２をカバー部材３と共に管状容器４から容易に取り外すことができる。
【００４８】
加えて、栓体１では、上記のように、栓本体２及びカバー部材３の２つの部材からなるため、部品点数が増加することもない。また、カバー部材３は、上記天板部３ａに係止部３ｄを設けた比較的簡単な構造を有するため、成形が容易であり、かつ栓本体２にカバー部材３を容易に取り付けることも可能である。よって、コストを低減し、生産性を高めることができる。
【００４９】
図４は、本発明の第２の実施形態に係る栓体１１を示す正面断面図である。栓本体１２にカバー部材１３が外挿されている。栓本体１２では把持部２ｂの上面に傾斜面２ｉが形成されていること、並びにカバー部材１３の天板部３ａの内面にリブ３ｇが設けられていることを除いては、栓体１１は、第１の実施形態の栓体１とほぼ同様に構成されている。従って、同一部分については同一の参照番号を付することにより、その説明を省略する。
【００５０】
図５（ａ）及び（ｂ）に示すように、栓本体２の上面に設けられた凹部２ｄの外周縁から、径方向外側にいくにつれて、把持部２ｂの上面の高さが低くなっており、それによって環状の傾斜面２ｉが形成されている。
【００５１】
従って、図４に示すように、傾斜面２ｉとカバー部材１３の天板部３ａの内面との間に空間が形成されている。この空間によるがたつきを防止するために、カバー部材１３の天板部３ａの内面に複数本のリブ３ｇが形成されている。
【００５２】
図６（ａ）〜（ｃ）に示すように、カバー部材１３は、天板部３ａを有し、天板部３ａの内面において、上記空間に位置する複数本のリブ３ｇが形成されている。複数本のリブ３ｇは、本実施形態では、天板部３ａの径方向に延びている。また、リブ３ｇの下面は、天板部３ａの径方向内側から外側にいくにつれて低くなっている傾斜面３ｇ１とされている。この傾斜面３ｇ１は、栓本体２の傾斜面２ｉの傾斜と等しくされている。そして、上記カバー部材１３を栓本体１２に外挿し、固定した状態において、上記リブ３ｇの下面の傾斜面３ｇ１が、栓本体２の傾斜面２ｉに当接している。従って、栓本体１２をカバー部材１３に固定した状態において、栓本体１２の姿勢が安定に保たれる。このように、栓本体２が傾斜面２ｉを有する場合、上記リブ３ｇをカバー部材３の天板部３ａの内面に一体に設けることが望ましい。
【００５３】
なお、複数本のリブ３ｇは、図６（ｃ）に示すように、天板部３ａの周方向において等しい間隔で分散配置されている。この複数本のリブ３ｇの数は特に限定されず、２以上の任意の数のリブ３ｇを設けることができる。またリブ全体が繋がった一体の厚肉形状であっても良い。
【００５４】
もっとも、好ましくは、複数本のリブ３ｇを設けることが望ましく、それによって栓本体１２がカバー部材１３に取り付けられた状態を安定化することができる。
【００５５】
また、複数本のリブ３ｇを設ける場合、天板部３ａの中心と各リブとを結んだ線の成す角度が等しくなるように、複数本のリブ３ｇを設けることが望ましい。それによって、栓本体１２の姿勢のばらつきを小さくすることができる。
【００５６】
本実施形態の栓体１１においても、管状容器に取り付けた状態から、カバー部材１３のスカート部３ｂに外力を加え取り外そうとした場合、係止部３ｄが内側壁２ｅに当接する。そのため、栓本体１２をカバー部材１３と共に管状容器から容易にかつ確実に取り外すことができる。
【００５７】
次に、具体的な実験例につき説明する。
【００５８】
（実施例１）
図１（ａ）に示す栓体１を用意した。ブチルゴムからなる栓本体２を用いた。栓本体２の寸法は、以下の通りである。
【００５９】
圧入部２ａの外径＝１１ｍｍ
把持部２ｂの外径＝１５ｍｍ
把持部２ｂの厚み＝３ｍｍ
【００６０】
尚、把持部２ｂの体積は、０．４０ｃｍ３とした。凹部２ｄの開口径すなわち内側壁２ｅで囲まれている部分の径は１０ｍｍとした。
【００６１】
カバー部材３として、ポリエチレン系合成樹脂からなる成形品を用意した。カバー部材３において、係止部３ｄの天板部３ａの外径は９ｍｍとした。また、天板部３ａの内面から係止部３ｄの下端までの寸法Ｈ２は２ｍｍとした。また、栓本体２の内側壁２ｅの高さ方向寸法Ｈ１は１．３ｍｍとした。
【００６２】
（実施例２）
栓本体１２として、図５（ｂ）に示す傾斜面２ｉの傾斜角度αを２６度とし、圧入部２ａの外径は１１ｍｍ、把持部２ｂの最大外径は１５ｍｍとした。また、内側壁２ｅの高さ方向寸法は実施例１と同様に１．３ｍｍとした。
【００６３】
カバー部材１３の天板部３ａの外径は１６ｍｍ、天板部３ａの内面から係止部３ｄの下端までの長さは２ｍｍとした。
【００６４】
凹部２ｄの開口径すなわち内側壁２ｅで囲まれている部分の径は１０ｍｍとした。把持部２ｂの体積は０．３６ｃｍ３とした。
【００６５】
（比較例１）
図７に示す栓体１２１を比較例１として用意した。比較例１では、栓本体１２２は、円筒状の外径＝１１ｍｍの圧入部１２２ａと、円筒状の外径＝１５ｍｍの把持部１２２ｂとを有するものを用いた。栓本体１２２の上面には凹部１２２ｃが形成されている。
【００６６】
他方、カバー部材１２３として、図９（ａ）に示したカバー部材１０４と同様の構造を有するものを用いた。ここでは、把持部の体積１．１０ｃｍ３とした。
【００６７】
（比較例２）
図８に示す栓体１３１を比較例２として用意した。比較例２の栓体１３１は、比較例１の栓体１２１と同様の構造を有する。但し、把持部の体積は０．６０ｃｍ３とした。
【００６８】
（実施例及び比較例の評価）
上端開口の開口径が１０．７ｍｍである７ｍＬの容量の有底管状容器に各栓体を取付けた。しかる後、カバー部材のスカート部を手で掴み、カバー部材を体液採取管に対して、捻りながら斜め上方へ力を加え、カバー部材３を押し上げることにより、カバー部材を管状容器から栓本体と共に取り外すことを試みた。１０本の管状容器に対して上記栓体の取り外しを試みた。カバー部材が栓本体から外れ、カバー部材のみが管状容器から取り外され、栓本体をカバー部材と共に取り外すことができなかった本数を下記の表１に示す。
【００６９】
また、表１においては、栓本体の上記把持部の体積を併せて示す。
【００７０】
【表１】
0005896906.tif 000002
【００７１】
表１から明らかなように、比較例１及び比較例２では、カバー部材のみが外れることがあった。特に、上記栓本体の把持部の体積を１．１０ｃｍ３から０．６０ｃｍ３と小さくした比較例２では、小型化を図り得るものの、１０本の管状容器の全てにおいて、カバー部材のみが外れてしまった。
【００７２】
これに対して、実施例１，２では、栓本体の把持部の体積を０．４０ｃｍ３及び０．３６ｃｍ３とそれぞれ非常に小さくし、小型化を図ったにもかかわらず、カバー部材と共に栓本体を確実に取り外すことが可能であった。
【００７３】
よって、実施例１，２によれば、栓本体の把持部の体積を比較例１に比べて約４０％と小さくすることが可能である。よって、体液採取後の廃棄物量を低減することができ、環境負荷を軽減することも可能であることがわかる。
【符号の説明】
【００７４】
１…栓体
２…栓本体
２ａ…圧入部
２ｂ…把持部
２ｃ…環状段差部
２ｄ…凹部
２ｅ…内側壁
２ｆ…環状傾斜面
２ｇ…凹部
２ｈ…薄肉部
２ｉ…傾斜面
３…カバー部材
３ａ…天板部
３ｂ…スカート部
３ｃ…開口
３ｄ…係止部
３ｅ…環状段差部
３ｇ…リブ
３ｇ１…傾斜面
４…管状容器
４ａ…開口
１１…栓体
１２…栓本体
１３…カバー部材
１０１…体液採取管
１０２…栓体
１０３…栓本体
１０３ａ…圧入部
１０３ｂ…把持部
１０３ｃ…環状段差部
１０４…カバー部材
１０４ａ…天板部
１０４ｂ…スカート部
１１１…栓体
１１２…栓本体
１１２ａ…圧入部
１１２ｂ…把持部
１１２ｃ…段差部
１１３…カバー部材
１１３ａ…環状突出部
１１３ｂ…環状係止棚
１１４…リング
１２１…栓体
１２２…栓本体
１２２ａ…圧入部
１２２ｂ…把持部
１２２ｃ…凹部
１２３…カバー部材
１３１…栓体
１３２…栓本体
１３２ａ…圧入部
１３２ｂ…把持部
【図１】
0005896906.tif 000003
【図２】
0005896906.tif 000004
【図３】
0005896906.tif 000005
【図４】
0005896906.tif 000006
【図５】
0005896906.tif 000007
【図６】
0005896906.tif 000008
【図７】
0005896906.tif 000009
【図８】
0005896906.tif 000010
【図９】
0005896906.tif 000011
【図１０】
0005896906.tif 000012